(57)【要約】【課題】ユーザがより満足できる写真シールを提供することができるようにする。【解決手段】ステップＳ７７乃至Ｓ８４の処理により、ＣＰＵは、ステップＳ７６の動作判定処理における判定結果に基づいて、ユーザの動作の種類を判定する。ユーザの動作が「両手が上げられた」、「右手が上げられた」、「左手が上げられた」、または３つの動作のいずれでもないと判定された場合、それぞれ、「上から照明する」、「右から照明する」、「左から照明する」、または「全部照明する」照明方法を実行し、撮影する。これにより、ユーザは、好みのポーズに最適な照明方法を、自分自身の動作により主体的に撮影条件を変更することが可能となる。本発明は、写真シール自動販売機に適用できる。【選択図】      図１５
2004219735.tif 000002
【特許請求の範囲】
【請求項１】
被写体を撮影する撮影手段と、
前記撮影手段により取り込まれた前記被写体の画像に基づいて、前記被写体の状態を判定する状態判定手段と、
前記状態判定手段により判定された状態判定結果に基づいて、前記撮影手段により前記被写体を撮影する際の撮影条件を変更する撮影条件変更手段と
を備えることを特徴とする写真シール販売機。
【請求項２】
前記状態判定手段は、前記被写体の位置を判定し、
前記撮影条件変更手段は、前記状態判定手段により判定された前記被写体の位置に基づいて前記撮影条件を変更する
ことを特徴とする請求項１に記載の写真シール販売機。
【請求項３】
前記被写体を照射する照明手段をさらに備え、
前記撮影条件変更手段は、前記状態判定手段により判定された前記被写体の位置に応じて、前記照明手段の照射する位置を変更する
ことを特徴とする請求項２に記載の写真シール販売機。
【請求項４】
前記状態判定手段は、前記撮影手段により取り込まれた前記被写体の画像に基づいて、前記被写体の位置を検出する
ことを特徴とする請求項２に記載の写真シール販売機。
【請求項５】
前記被写体の位置を検知する検知手段をさらに備え、
前記状態判定手段は、前記検知手段により検知された前記被写体の位置に基づいて、前記被写体の位置を判定する
ことを特徴とする請求項２に記載の写真シール販売機。
【請求項６】
前記検知手段は、前記被写体に対し所定の距離だけ下部に設けられている
ことを特徴とする請求項５に記載の写真シール販売機。
【請求項７】
前記撮影条件のうち、前記撮影条件変更手段により変更される撮影条件を、前記状態判定手段により判定される前記被写体の位置に対応付けて記憶する記憶手段をさらに備え、
前記撮影条件変更手段は、前記記憶手段により記憶された前記被写体の位置に基づいて、前記撮影条件を変更する
ことを特徴とする請求項２乃至６のいずれかに記載の写真シール販売機。
【請求項８】
前記状態判定手段は、前記被写体の動作を判定し、
前記撮影条件変更手段は、前記状態判定手段により判定された前記被写体の動作に基づいて前記撮影条件を変更する
ことを特徴とする請求項１に記載の写真シール販売機。
【請求項９】
前記撮影条件変更手段により前記撮影条件が変更されたとき、前記被写体の撮影が行われる前記撮影条件を示す所定の画像を表示する表示手段
をさらに備えることを特徴とする請求項１乃至８のいずれかに記載の写真シール販売機。
【請求項１０】
被写体を撮影する撮影手段を備える写真シール販売機の写真撮影方法において、
前記撮影手段により取り込まれた前記被写体の画像に基づいて、前記被写体の状態を判定する状態判定ステップと、
前記状態判定ステップの処理により判定された状態判定結果に基づいて、前記撮影手段により前記被写体を撮影する際の撮影条件を変更する撮影条件変更ステップと
を含むことを特徴とする写真撮影方法。
【請求項１１】
被写体を撮影する撮影手段と、
前記撮影手段により取り込まれた前記被写体の画像に基づいて、前記被写体の状態を判定する状態判定手段と、
前記状態判定手段により判定された状態判定結果に基づいて、前記撮影手段により前記被写体を撮影する際の撮影条件を変更する撮影条件変更手段と
を備えることを特徴とする写真シール販売機において使用される印刷媒体ユニットであって、
前記印刷媒体ユニットを識別する識別情報を記憶する識別情報記憶手段を備え、
前記識別情報記憶手段により記憶された前記識別情報が前記写真シール販売機により認証されたとき使用可能とされる
ことを特徴とする印刷媒体ユニット。
【発明の詳細な説明】
【０００１】
【発明の属する技術分野】
本発明は写真シール販売機および写真撮影方法、並びに印刷媒体ユニットに関し、特に、ユーザがより満足できる写真シールを提供することができるようにした写真シール販売機および写真撮影方法、並びに印刷媒体ユニットに関する。
【０００２】
【従来の技術】
従来、被写体であるユーザ（以下、単に「ユーザ」という。）の画像を撮影し、これを予め用意されたフレーム画像と合成してシール紙などに印刷して提供する、いわゆる「プリント倶楽部（登録商標）」などの写真シール販売機が知られている。この写真シール販売機の中には、ディジタルカメラ等のカメラで撮影した撮影画像に対し、娯楽性を高めるために、タッチペン等により撮影画像に落書きをすることができる機種も提供されている。
【０００３】
ユーザがこのような写真シール販売機を利用する場合、一般的に、ユーザは、カメラにより取り込まれている自分自身の動画像（リアルビュー）を、ほぼ正面に設けられている画面において確認しながら、好ましいポーズや表情、あるいは立ち位置などを調整する。
【０００４】
そして、その調整が終わったとき、ユーザは、装置に対して撮影の開始を指示し、指示することに応じて出力されるカウントダウンに従って撮影を行う。このように、ポーズや表情を調整してから撮影することができるため、ユーザは、より見栄えのよい画像を撮影することができる。
【０００５】
しかし、このような撮影過程においては、ユーザは、ハーフミラーで確認しながら凝ったポーズをした後、撮影ボタンを押すためにボタンの位置まで移動し、ボタンを押した後、元の位置に戻り、さらにポーズを取り直さなければならない。そのため、戻った位置が、ポーズをとって確認した位置とは異なる位置となってしまい、照明がユーザに上手に当たらなかったり、元のポーズとは異なるポーズとなってしまうなど、所望のポーズで撮影することができないという状況も起こりうる。
【０００６】
そこで、ディジタルカメラにおいて、ユーザの顔の向きを認識し、顔が所定の方向に向いた場合にユーザ記録動作を行う方法が提案されている（例えば、特許文献１参照）
【０００７】
この提案は、ユーザの画像情報を検出し、検出されたユーザの画像情報に基づきユーザの顔を認識し、その認識情報からユーザの顔が所定の方向を向いているかを判定し、その判定結果に応じてユーザ記録動作を行うものである。
【０００８】
そこで、写真シール販売機においても、ユーザの顔の向きに応じてユーザを撮影するようにすることができる。
【０００９】
【特許文献１】
特開２００１−５１３３８号公報
【００１０】
【発明が解決しようとする課題】
しかしながら、写真シール販売機は、ユーザに任意のポーズをとらせ、それを撮影するものであるので、ユーザの顔が所定の方向に向いた場合にユーザ記録動作を行うようにさせると、結局、ユーザの任意のポーズを撮影することが困難になるという課題があった。
【００１１】
本発明は、このような状況に鑑みてなされたものであり、ユーザがより満足できる写真シールを提供することができるようにすることを目的としている。
【００１２】
【課題を解決するための手段】
本発明の写真シール販売機は、被写体を撮影する撮影手段と、撮影手段により取り込まれた被写体の画像に基づいて、被写体の状態を判定する状態判定手段と、状態判定手段により判定された状態判定結果に基づいて、撮影手段により被写体を撮影する際の撮影条件を変更する撮影条件変更手段とを備えることを特徴とする。
【００１３】
撮影手段は、例えば、ＣＣＤ，ＣＭＯＳなどの撮像素子を有するカメラにより構成され、状態判定手段は、例えば、ＣＰＵなどからなる制御装置により構成され、撮影条件変更手段は、例えば、ＣＰＵなどからなる制御装置により構成される。
【００１４】
以上のように構成されることにより、ユーザの状態を判定することができる。また、判定された状態判定結果に基づいて、撮影条件を変更することができる。これにより、ユーザがより満足できる写真シールを提供することができる。
【００１５】
状態判定手段は、被写体の位置を判定し、撮影条件変更手段は、状態判定手段により判定された被写体の位置に基づいて撮影条件を変更するようにすることができる。
【００１６】
以上のように構成されることにより、撮影空間におけるユーザの位置を判定することができる。また、判定されたユーザの位置に応じて、撮影条件を変更することができる。これにより、ユーザがより満足できる写真シールを提供することができる。
【００１７】
この写真シール販売機は、被写体を照射する照明手段をさらに備え、撮影条件変更手段は、状態判定手段により判定された被写体の位置に応じて、照明手段の照射する位置を変更するようにすることができる。
【００１８】
照明手段は、例えば、照明部により構成される。照明部はフラッシュなどの間欠照明に限らず、蛍光灯、白熱灯などの連続照明などにより構成されてもよい。また、照明手段は１個に限らず、複数個により構成されてもよい。
【００１９】
以上のように構成されることにより、ユーザは、自分の好みのポーズ（撮影空間におけるユーザの位置）に合った照明位置や照明の光量などの照明方法を選択することができる。
【００２０】
状態判定手段は、撮影手段により取り込まれた被写体の画像に基づいて、被写体の位置を検出するようにすることができる。
【００２１】
以上のように構成されることにより、ユーザの位置を正確に判定することができる。
【００２２】
この写真シール販売機は、被写体の位置を検知する検知手段をさらに備え、状態判定手段は、検知手段により検知された被写体の位置に基づいて、被写体の位置を判定するようにすることができる。
【００２３】
検知手段は、例えば、センサにより構成される。
【００２４】
以上のように構成されることにより、センサによりユーザの位置を検知することができる。また、検知することにより検知されたユーザの位置に基づいて、撮影空間におけるユーザの位置を判定することができる。
【００２５】
検知手段は、被写体に対し所定の距離だけ下部に設けられているようにすることができる。
【００２６】
以上のように構成されることにより、複数のユーザが位置する場所を正確に検知することができる。
【００２７】
この写真シール販売機は、撮影条件のうち、撮影条件変更手段により変更される撮影条件を、状態判定手段により判定される被写体の位置に対応付けて記憶する記憶手段をさらに備え、撮影条件変更手段は、記憶手段により記憶された被写体の位置に基づいて、撮影条件を変更するようにすることができる。
【００２８】
記憶手段は、例えば、記憶部により構成される。
【００２９】
以上のように構成されることにより、撮影空間におけるユーザの位置と、照明方法などの撮影条件とを対応付けて記憶することができる。
【００３０】
状態判定手段は、被写体の動作を判定し、撮影条件変更手段は、状態判定手段により判定された被写体の動作に基づいて撮影条件を変更するようにすることができる。
【００３１】
以上のように構成されることにより、ＣＣＤ，ＣＭＯＳなどの撮像素子を有するカメラから取り込まれたユーザの画像に基づいて、撮影空間におけるユーザの動作を判定することができる。
【００３２】
この写真シール販売機は、撮影条件変更手段により撮影条件が変更されたとき、被写体の撮影が行われる撮影条件を示す所定の画像を表示する表示手段をさらに備えるようにすることができる。
【００３３】
表示手段は、例えば、画像表示・入力操作部または表示部により構成される。
【００３４】
以上のように構成されることにより、ユーザの撮影が行われる撮影条件を示す所定の画像を表示することができる。これにより、ユーザは、自分の動作によりどのように撮影条件が変更されたかを確実かつ容易に確認することができる。
【００３５】
本発明の写真撮影方法は、撮影手段により取り込まれた被写体の画像に基づいて、被写体の状態を判定する状態判定ステップと、状態判定ステップの処理により判定された状態判定結果に基づいて、撮影手段により被写体を撮影する際の撮影条件を変更する撮影条件変更ステップとを含むことを特徴とする。
【００３６】
撮影手段は、例えば、ＣＣＤなどを備えるカメラにより構成され、状態判定ステップは、例えば、撮影手段により取り込まれた被写体の画像に基づいて、被写体の状態をＣＰＵなどからなる制御装置により判定する状態判定ステップにより構成される。状態判定ステップは、この他、例えば、撮影手段により取り込まれた被写体の画像に基づいて被写体の位置または動作を検知し、検知した結果に基づいて位置または動作を判定する位置判定ステップまたは動作判定ステップなどにより構成されてもよい。撮影条件変更ステップは、例えば、被写体を撮影する際の撮影条件をＣＰＵなどからなる制御装置により撮影条件変更ステップにより構成される。
【００３７】
以上のように構成されることにより、本発明の写真シール販売機における場合と同様に、ユーザの状態を判定することができる。また、判定された状態判定結果に基づいて、撮影条件を変更することができる。これにより、ユーザがより満足できる写真シールを提供することができる。
【００３８】
本発明の印刷媒体ユニットは、印刷媒体ユニットを識別する識別情報を記憶する識別情報記憶手段を備え、識別情報記憶手段により記憶された識別情報が写真シール販売機により認証されたとき使用可能とされることを特徴とする。
【００３９】
以上のように構成されることにより、写真シール販売機の装置本体に対応していないシール紙が利用されるのを抑制することができる。
【００４０】
【発明の実施の形態】
以下に、図面を参照しながら本発明の実施の形態について説明する。
【００４１】
図１は、本発明を適用した写真シール販売機１の外観の構成を示す。
【００４２】
写真シール販売機１は、装置本体１１、天井パネル１２、側面パネル１３Ｌ、側面パネル１３Ｒ、図示せぬカーテン、右床１４Ａ、中央床１４Ｂ、左床１４Ｃ、および背景パネル１６により構成されている。装置本体１１の対向する面には、背景パネル１６が設けられ、その背景パネル１６の左右に接するように側面パネル１３Ｌおよび１３Ｒが配置されている。天井パネル１２は、装置本体１１、側面パネル１３Ｌ、側面パネル１３Ｒ、および背景パネル１６に支持されて配置されている。なお、右床１４Ａ、中央床１４Ｂ、および左床１４Ｃの３つの部分で構成される床は、ユーザが撮影のとき任意に位置する場所である。
【００４３】
装置本体１１、天井パネル１２、側面パネル１３Ｌ、側面パネル１３Ｒ、右床１４Ａ、中央床１４Ｂ、および左床１４Ｃにより撮影空間１５が形成されている。また、撮影空間１５に容易に出入りすることができるようにするとともに、撮影中に撮影空間１５の内部が外側から見えないようにするために、装置本体１１の面（側面）１１Ｃと側面パネル１３Ｒとの間（並びに、それに対向する反対側）には、図示せぬカーテンが設けられている。
【００４４】
装置本体１１の、ユーザが装置本体１１を利用する場合に正面となる垂直な面１１Ａには、カメラ３１が面１１Ａから突出した状態で設けられている。カメラ３１は、面１１Ａに垂直方向に配設されているレール（図示せず）に従って、所定の範囲内で上下方向に移動可能とされている。また、カメラ３１は、垂直平面内で上下方向に首振り自在に取り付けられている。なお、以下において、面１１Ａを装置本体１１の正面として説明する。
【００４５】
従って、装置本体１１を利用するユーザは、カメラ３１を好みの高さに調節し、また、カメラ３１の正面、すなわち、ユーザを撮像するための撮影レンズ（図示せず）が設けられている面を好みの角度に調節し、撮影を行うことができる。
【００４６】
ＣＣＤ（Ｃｈａｒｇｅ  Ｃｏｕｐｌｅｄ  Ｄｅｖｉｃｅ），ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像素子を有するカメラ３１によりユーザの画像が取り込まれ、取り込まれている画像（動画像）は、リアルタイムで画像表示・操作入力部３３に表示される。そして、ユーザにより指示されたタイミングにおいて、カメラ３１により撮像された画像が静止画像として装置本体１１に保存される。カメラ３１により取り込まれているリアルタイムの画像（動画像）は、カメラ３１の近傍に設けられている表示部４０および画像表示・操作入力部３３にも表示され、ユーザは、この表示を見て、いまカメラ３１により取り込まれている画像を確認することができる。
【００４７】
カメラ３１の右側には照明部３２−１が設けられており、また、左側には照明部３２−２が設けられている。装置本体１１の内部に設けられているフラッシュ制御部１１６（図６を参照して後述する）は、カメラ３１により撮影されるタイミングで、照明部３２−１および照明部３２−２にフラッシュ光を出射させる。発生されたフラッシュ光はユーザを照明する。
【００４８】
照明部３２−１および照明部３２−２の下部の、面１１Ａに対して、斜め方向に構成されている面１１Ｂには、ＬＣＤ（Ｌｉｑｕｉｄ  Ｃｒｙｓｔａｌ  Ｄｉｓｐｌａｙ）、およびＬＣＤの上部に設けられ、ＬＣＤの表示を透過する入力デバイスであるタッチパネル（図示せず）により構成される画像表示・操作入力部３３が設けられている。画像表示・操作入力部３３には、カメラ３１により取り込まれた、リアルタイムのユーザの画像（動画像）、カメラ３１により撮像された画像（静止画像）、後述する処理により編集された画像（静止画像）、および、撮影処理の進行段階に応じて、撮影方法などを案内する各種のメッセージなどが表示される。ユーザは、画像表示・操作入力部３３に表示される撮影画像の中から、編集（落書き）対象の画像を選択し、選択された画像に対して、任意の文字や図形などを、落書きペン３４−１および３４−２を利用して書き込む（入力する）ことができる。
【００４９】
画像表示・操作入力部３３には、編集対象の画像とともに、さまざまな編集ツールを選択するためのボタンが表示される。そして、そのボタンが、落書きペン３４−１および３４−２により操作（ボタンが選択）され、画像の編集が行われたとき、画像表示・操作入力部３３には、入力に応じて生成された編集済みの画像が表示される。
【００５０】
落書きペン３４−１および３４−２は、画像表示・操作入力部３３に積層されるタッチパネル（図示せず）の位置検出方式（例えば、抵抗膜式、超音波式など）に応じて構成される。
【００５１】
また、画像表示・操作入力部３３は、落書きペン３４−１または３４−２のいずれが操作入力を行っているかを区別して検出することが可能である。
【００５２】
例えば、落書きペン３４−１および３４−２に、それぞれ異なるＩＤを付与し、画像表示・操作入力部３３への、落書きペン３４−１および３４−２からの入力時に、座標信号にそれぞれの落書きペンのＩＤを付与することにより、いずれかの落書きペン（例えば、落書きペン３４−１と落書きペン３４−２）であるかを区別してもよいし、その他の方法で、画像表示・操作入力部３３が、落書きペン３４−１または３４−２のいずれが操作入力を行っているかを区別して検出することができるようにしても良い。
【００５３】
また、画像表示・操作入力部３３を、表示および操作入力がともに実行できるような構成にすることなく、例えば、ＣＲＴ（Ｃａｔｈｏｄｅ−Ｒａｙ  Ｔｕｂｅ）またはＬＣＤなどにより構成された表示部と、キー、ボタン、タッチパッド、マウス、あるいは、ジョイスティックなどの入力部とで構成するようにしても良い。
【００５４】
装置本体１１の側面１１Ｃの下方には、コイン投入部４１およびシール取出し口４２が設けられている。ユーザは、装置本体１１を利用して撮影するとき、所定の代金をコイン投入部４１に投入する。撮影され、編集等が施された画像が所定の大きさでシール紙に印刷され、得られたシール紙が、シール取出し口４２から排出される。
【００５５】
この装置本体１１の正面（面１１Ａ）に対向する位置には、所定距離だけ離間して背景パネル１６が設置され、ユーザは、装置本体１１と背景パネル１６の間を撮影空間１５として撮影を行うことができる。
【００５６】
装置本体１１の面１１Ａには、カメラ３１から所定の距離だけ上方に、照明部３５が設けられ、装置本体１１の面１１Ｂに連結された面１１Ｄ（装置本体１１の下方の面）には、所定の場所に（カメラ３１より下方の位置）、照明部３６が設けられている。
【００５７】
また、天井パネル１２の所定の場所に、装置本体１１の面１１Ａにほぼ平行になるように、撮影空間１５に向かって、部材５１に支持される照明部６１−１乃至６１−３が設けられている。照明部６１−１と照明部６１−３は部材５１の所定の場所（左側端部近傍と右側端部近傍）に固定されているのに対し、照明部６１−２は、部材５１に平行に配設されているレール（図示せず）に沿って、照明部６１−１と照明部６１−３の間で、図示された２つの矢印の方向（すなわち、装置本体１１の正面に対し左方向と右方向）に、ユーザの状態に応じて（例えば、ユーザの位置や動作）選択的に移動することができる。なお、照明部６１−２は、ユーザが撮影を開始する指示（図１１を参照して後述するステップＳ２３の処理）を出す前においては、初期撮影条件として、左右の照明部６１−１と照明部６１−３とのちょうど中間に予め配置されている。
【００５８】
図２は、図１のＸ１−Ｘ１線における写真シール販売機１の断面の構成を表している。カメラ３１は、図２に示されるように、面１１Ａから突出した状態で設けられている。その上部には照明部３５と表示部４０が設けられ、画像表示・操作入力部３３により下方には、照明部３６が設けられている。照明部６１−２は、部材５１により移動自在に支持されており、天井パネル１２からユーザに向けて光を照明することができるように設けられている。
【００５９】
図３は、図１のＸ２−Ｘ２線における写真シール販売機１の断面の構成を表している。図３に示されるように、照明部６１−１と照明部６１−３は部材５１の左右端部近傍に固定されているのに対し、照明部６１−２は、照明部６１−１と照明部６１−３の間の所定の範囲を、ユーザの状態に応じて（例えば、ユーザの位置や動作）左右の（矢印の）方向に移動する。なお、以下に用いる「右」とは、図１における右床１４Ａ上の撮影空間１５（すなわち、図３における装置本体１１の正面に対し右側の撮影空間１５）を示し、「中央」とは、図１における中央床１４Ｂ上の撮影空間１５（すなわち、図３における装置本体１１の正面に対し中央の撮影空間１５）を示し、「左」とは、図１における左床１４Ｃ上の撮影空間１５（すなわち、図３における装置本体１１の正面に対し左側の撮影空間１５）を示している。
【００６０】
以上においては、面１１Ｄに照明部３６を１つだけ設けるようにしたが、複数の照明を設けるようにしてもよい。図４は、この場合における写真シール販売機１の外観の構成を表している。なお、図１の写真シール販売機１の構成と対応するものについては、同一の符号を付してあり、その説明は繰り返しになるので省略する。
【００６１】
図４の例においては、装置本体１１の面１１Ｄに、照明部３６の上方に、照明部７１−２が設けられ、その左右に照明部７１−１と照明部７１−３が照明部７１−２に対して等間隔に設けられている。また、照明部３６の下方には、人の有無を検出するセンサ９１が設けられている。このセンサ９１は、図４に示されるように、例えば、所定の幅をもつ帯状の形態を有する。
【００６２】
図５は、図４のＹ−Ｙ線における写真シール販売機１の断面の構成を表している。図５に示されるように、照明部７１−１乃至７１−３は、照明部３６から所定の距離だけ上方に、等間隔に設けられており、センサ９１は、照明部３６から所定の距離だけ下方に、設けられている。
【００６３】
なお、照明部３２−１および照明部３２−２、照明部３５、照明部３６、照明部６１−１乃至６１−３、並びに照明部７１−１乃至７１−３には、フラッシュ光を発生させるようにしてもよいが、蛍光灯や白熱灯などの連続照明から照明されるの照明光を、定常的に発生させるようにしてもよい。
【００６４】
図６は、図１乃至図３を用いて説明した装置本体１１の内部構成を示すブロック図である。
【００６５】
制御装置１１１は、例えば、コンピュータなどにより構成され、装置本体１１の全体の動作を制御する。具体的には、制御装置１１１に設けられているＣＰＵ（Ｃｅｎｔｒａｌ  Ｐｒｏｃｅｓｓｉｎｇ  Ｕｎｉｔ）１５１により、ＲＯＭ（Ｒｅａｄ  Ｏｎｌｙ  Ｍｅｍｏｒｙ）１５２やハードディスクなどにより構成される記憶部１５６（いずれも図７を参照して後述する）に記憶されているプログラムに基づく処理が実行される。また、制御装置１１１は、内部にタイマを有しており、タイマを参照して、装置本体１１が実行する処理を制御する。
【００６６】
カメラ３１は、上述したように、ＣＣＤ，ＣＭＯＳなどの撮像素子を有し、その撮像素子により、正面の画像を撮像し、撮像した画像データを制御装置１１１に出力する。
【００６７】
コイン投入部４１は、ユーザにより所定の代金が投入されたとき、それを検出し、制御装置１１１に通知する。フラッシュ制御部１１５は、カメラ３１によりユーザが撮影されるタイミングに合わせて、制御装置１１１からの指示に基づいて照明部３５、照明部３６、照明部６１−１乃至６１−３にフラッシュ光を発生させる。発生されたフラッシュ光はユーザを照明する。
【００６８】
フラッシュ制御部１１６は、カメラ３１によりユーザが撮影されるタイミングに合わせて、制御装置１１１からの指示に基づいて照明部３２−１および３２−２にフラッシュ光を発生させる。発生されたフラッシュ光はユーザを照明する。
【００６９】
表示制御部１１２は、装置本体１１の面１１Ｂに設けられている画像表示・操作入力部３３および表示部４０への画像、あるいは、テキストなどの表示を制御する。操作入力部１１３は、落書きペン３４−１と落書きペン３４−２を用いて画像表示・操作入力部３３へ入力されたユーザからの指示を制御装置１１１に出力する。
【００７０】
設定情報記憶部１１４は、制御装置１１１から供給された設定情報を保存する。制御装置１１１は、必要に応じて、設定情報記憶部１１４に記憶されている設定情報を読み込む。
【００７１】
プリンタ１１８とＩＤタグリーダライタ１１７に装着されるシール紙ユニット１１９は、シール紙１３２と、個々のシール紙ユニット１１９を識別する識別情報等を管理するＩＤタグ１３１により構成される。
【００７２】
プリンタ１１８は、編集処理等が施された印刷データが制御装置１１１から供給されたとき、供給された印刷データにより表される画像を、ユーザにより選択された画像のサイズおよび分割数に従って、シール紙１３２に印刷し、シール紙１３２をシール取り出し口４２に排出する。
【００７３】
ＩＤタグリーダライタ１１７は、ＩＤタグ１３１に記憶されている識別情報を接触または非接触により読み出し、制御装置１１１に出力する。制御装置１１１は、ＩＤタグリーダライタ１１７から供給された識別情報に基づいて、装着されているシール紙ユニット１１９が、装置本体１１において利用可能なユニットであるか否かを判定し、利用可能なユニットであると判定したときにのみ、プリンタ１１８を動作可能にする。すなわち、制御装置１１１により、装置本体１１において利用可能とされるシール紙ユニット１１９の識別情報が管理されている。
【００７４】
これにより、装置本体１１に対応していない（純正のものでない）シール紙が利用されるのを抑制することができる。また、ＩＤタグ１３１により、シール紙１３２の残量等も管理される。なお、シール紙ユニット１１９が純正のものであるか否かを、シール紙ユニット１１９にプリントされているバーコードなどにより確認させるようにしてもよい。
【００７５】
図７は、図６の制御装置１１１の、更に詳細な構成を示すブロック図である。
【００７６】
ＣＰＵ１５１は、ＲＯＭ（Ｒｅａｄ  Ｏｎｌｙ  Ｍｅｍｏｒｙ）１５２に記憶されているプログラム、または、記憶部１５６からＲＡＭ（Ｒａｎｄｏｍ  Ａｃｃｅｓｓ  Ｍｅｍｏｒｙ）１５３にロードされたプログラムに従って各種の処理を実行する。ＲＡＭ１５３にはまた、ＣＰＵ１５１が各種の処理を実行する上において必要なデータなどが適宜記憶される。
【００７７】
ＣＰＵ１５１、ＲＯＭ１５２、およびＲＡＭ１５３は、バス１５４を介して相互に接続されている。バス１５４にはまた、入出力インタフェース１５５も接続されている。
【００７８】
入出力インタフェース１５５には、図６に示される、カメラ３１、コイン投入部４１、表示制御部１１２、操作入力部１１３、設定情報記憶部１１４、フラッシュ制御部１１５、フラッシュ制御部１１６、ＩＤタグリーダライタ１１７、およびプリンタ１１８が接続されている。
【００７９】
記憶部１５６は、ＣＰＵ１５１により実行されるプログラムの他、カメラ３１により取り込まれているユーザの画像と合成する背景画像のデータや、撮影して得られた画像のデータなどを記憶する。後述するように、撮影処理においては、例えば、８回など、所定の回数だけ撮影を行うことができるようになされており、記憶部１５６には、撮影された画像データのうち、ユーザに保存が指令された画像データ、または、所定の回数の撮影が終了された後、ユーザから画像の保存が指令されていない場合は、最後に撮影された画像のデータが記憶される。
【００８０】
入出力インタフェース１５５にはまた、必要に応じてドライブ１５７が接続され、磁気ディスク１７１、光ディスク１７２、光磁気ディスク１７３、あるいは、半導体メモリ１７４などが適宜装着され、それらから読み出されたコンピュータプログラムや背景画像データが必要に応じて記憶部１５６に保存される
【００８１】
図８は、図４と図５を用いて説明した他の装置本体１１の内部構成を示すブロック図である。なお、図６の装置本体１１の構成と対応するものについては、同一の符号を付してあり、その説明は繰り返しになるので省略する。
【００８２】
センサ９１は、制御装置１１１から供給されるセンサ制御信号に基づいて動作を開始し、ユーザの位置を検知するとともに、検知信号を生成し、制御装置１１１に供給する。フラッシュ制御部１１５は、カメラ３１によりユーザが撮影されるタイミングに合わせて、制御装置１１１からの指示に基づいて照明部３５、照明部３６、および照明部７１−１乃至７１−３にフラッシュ光を発生させる。
【００８３】
図９は、図８の制御装置１１１の、詳細な構成を示すブロック図である。なお、図８の装置本体１１の構成と対応するものについては、同一の符号を付してあり、その説明は繰り返しになるので省略する。
【００８４】
入出力インタフェース１５５には、図９に示される構成（カメラ３１、コイン投入部４１、表示制御部１１２、操作入力部１１３、設定情報記憶部１１４、フラッシュ制御部１１５、フラッシュ制御部１１６、ＩＤタグリーダライタ１１７、およびプリンタ１１８）以外に、センサ９１が接続されている。
【００８５】
次に、図１０のフローチャートを参照して、図１乃至図３を用いて説明した装置本体１１の全体の処理について説明する。
【００８６】
ステップＳ１において、制御装置１１１のＣＰＵ１５１は、コイン投入部４１からの出力に基づいて、代金が投入されたか否か、すなわち、撮影を開始するユーザがいるか否かを判定し、代金が投入されたと判定するまで待機する。
【００８７】
ＣＰＵ１５１は、ステップＳ１において、代金が投入されたと判定した場合、ステップＳ２に進み、撮影空間１５における撮影処理を実行する。すなわち、予め設定されている回数だけ撮影が繰り返し行われ、得られた画像の中から、編集する画像が選択されたとき、撮影処理が終了される。なお、ステップＳ２において実行される撮影処理については、図１１および図１２、図１５および図１６、または図２０のフローチャートを参照して後に詳述する。
【００８８】
ステップＳ３において、ＣＰＵ１５１は、ユーザからの入力に応じて、撮影した画像を編集する編集処理を実行する。なお、ステップＳ３において実行される編集処理については、図２３のフローチャートを参照して後に詳述する。
【００８９】
ＣＰＵ１５１は、ステップＳ４において、編集処理により編集され、生成された編集画像の画像データをプリンタ１１８に転送し、印刷させる。そして、印刷処理が終了されたとき、ステップＳ１に戻り、以上の処理が繰り返し実行される。
【００９０】
なお、図１０に示される処理は、記載された順序に従って時系列的に行われるだけでなく、そのときの装置本体１１の利用状況に応じて並列的にも行われる。例えば、第１のユーザが撮影空間１５において撮影を終了させ、図示せぬ編集空間に移動した直後に、第２のユーザが撮影空間１５において撮影を開始した場合、図１０のステップＳ２の撮影処理（第２のユーザの処理）とステップＳ３の編集処理（第１のユーザの処理）が並列して行われることになる。同様に、撮影処理、編集処理、および、ステップＳ４における印刷処理のそれぞれが状況に応じて並列して行われる。
【００９１】
次に、図１１のフローチャートを参照して、図１０のステップＳ２において実行される第１の撮影処理の詳細について説明する。
【００９２】
ステップＳ２１において、ＣＰＵ１５１は、ユーザからの入力に基づいて、例えば、カメラ３１の高さ、撮影アングル、撮影モードなどの撮影条件（すなわち、初期撮影条件）を初期設定する。具体的には、ＣＰＵ１５１は、各種の撮影環境を設定する画面を画像表示・操作入力部３３に順次表示し、表示される画面に対するユーザの入力に従ってカメラ３１などを制御し、撮影条件を設定する。
【００９３】
ステップＳ２２において、ＣＰＵ１５１は、画像表示・操作入力部３３または表示部４０に撮影画面を表示させる。この撮影画面には、例えば、撮影の開始を指示するとき操作される撮影開始ボタンなどが表示される。
【００９４】
ステップＳ２３において、ＣＰＵ１５１は、撮影画面に表示されている撮影開始ボタン（または、図示せぬ足下操作スイッチ）が操作されたか否かに基づいて、撮影を開始することがユーザにより指示されたか否かを判定し、撮影を開始することが指示されていないと判定した場合、ステップＳ２２に戻り、撮影画面の表示を続ける。
【００９５】
一方、ＣＰＵ１５１は、ステップＳ２３において、撮影を開始することがユーザから指示されたと判定した場合、ステップＳ２４で、位置判定処理を実行する。ステップＳ２４における位置判定処理は、図１２のフローチャートに示されている。
【００９６】
図１２のフローチャートを参照して、図１１のステップＳ２４における位置判定処理について説明する。ステップＳ５１において、カメラ３１は、ユーザの画像（動画像）を所定の時間間隔で取り込む。
【００９７】
ステップＳ５２において、ＲＡＭ１５３または記憶部１５６は、ステップＳ５１でカメラ３１により取り込まれたユーザの画像データを記憶する。ステップＳ５３において、ＣＰＵ１５１はユーザの位置の判定を行う。すなわち、ＣＰＵ１５１は、ステップＳ５２でＲＡＭ１５３または記憶部１５６に記憶されたユーザの画像データを読み出す。ＣＰＵ１５１は、撮影空間１５におけるユーザの位置と、照明（すなわち、照明部３２−１および照明部３２−２、照明部３５、照明部３６、並びに照明部６１−１乃至６１−３）による照明方法が対応付けられたデータベース１９１（図１３を参照して後述する）を参照して、ＲＡＭ１５３または記憶部１５６から読み出されたユーザの画像データに基づき、撮影空間１５におけるユーザの位置を判定する。なお、データベース１９１は、記憶部１５６に記憶されている。
【００９８】
図１３は、記憶部１５６に記憶されたデータベース１９１の例を示している。
【００９９】
図１３に示されるように、データベース１９１には、撮影空間１５におけるユーザの位置として、例えば、「右寄り」、「左寄り」、および「中央」の３つの位置が登録されている。ここで、「右寄り」とは、ユーザの体の半分以上が図１の右床１４Ａに位置している場合を意味しており、「左寄り」とは、ユーザの体の半分以上が図１の左床１４Ｃに位置している場合を意味しており、「中央」とは、ユーザの体の半分以上が図１の中央床１４Ｂに位置している場合を意味している。
【０１００】
例えば、図１４の例の場合、ユーザ２１１の体の半分以上が図１の右床１４Ａに位置している。従って、ＣＰＵ１５１は、図１１のステップＳ２４における位置判定処理において、撮影空間１５におけるユーザの位置を「右寄り」と判定する。
【０１０１】
また、図１３の例の場合、例えば、「右寄り」、「左寄り」、および「中央」の３つの位置に対して、「左から照明する」、「右から照明する」、および「全部照明する」照明方法がそれぞれ対応付けられている。「左から照明する」照明方法とは、ユーザ２１１を主に左側から照明する照明方法であり、フラッシュ制御部１１５およびフラッシュ制御部１１６が、照明部３２−２、照明部６１−１、および照明部６１−２にそれぞれ照明させ、その他の照明部、すなわち、照明部３２−１、照明部３５、照明部３６、および照明部６１−３はユーザ２１１に照明しない（照明したとしても、その光量は、照明部３２−２、照明部６１−１、および照明部６１−２からの光量より少なくされる）。このとき、照明部６１−２は、ユーザを左方向から照明することができるように、照明部制御部１１５により、図３の左の矢印方向に、照明部６１−１の近傍まで移動される（図１４）。
【０１０２】
また、「右から照明する」照明方法とは、ユーザ２１１を主に右側から照明する照明方法であり、フラッシュ制御部１１５およびフラッシュ制御部１１６が、照明部３２−１、照明部６１−３、および照明部６１−２にそれぞれ照明させ、その他の照明部、すなわち、照明部３２−２、照明部３５、照明部３６、および照明部６１−１はユーザ２１１に照明しない（照明したとしても、その光量は、照明部３２−１、照明部６１−３、および照明部６１−２からの光量より少なくされる）。このとき、照明部６１−２は、ユーザを右方向から照明することができるように、照明部制御部１１５により、図３の右の矢印方向に、照明部６１−３の近傍まで移動される。
【０１０３】
さらに、「全部照明する」照明方法とは、ユーザ２１１を全体的に照明する方法であり、フラッシュ制御部１１５およびフラッシュ制御部１１６が、照明部３２−１および照明部３２−２、照明部３５、照明部３６、並びに照明部６１−１乃至６１−３の全部に照明させる。なお、この「全部照明する」照明方法の際に、照明部６１−２は、初期撮影条件で設定された状態のまま、すなわち、照明部６１−１と照明部６１−３の中間の位置に配置される（図３）。
【０１０４】
このように、ユーザは、その位置に応じて照明される。従って、ユーザの顔に影をつくらないようにすることができ、ユーザに、よりきれいな写真シールを提供することができる。
【０１０５】
図１１に戻り、ステップＳ２５において、ＣＰＵ１５１は、撮影までのカウントダウンを開始する。例えば、撮影までのカウントダウンが画像表示・操作入力部３３に表示され、ＣＰＵ１５１は、撮影までの時間が「０」になる（カウントダウンの数字が、例えば「５」から、「４」，「３」，「２」，「１」の後、「０」になる）まで、カウントダウンを行う。それと同時に、ＣＰＵ１５１は、撮影が中止される撮影中止表示画面（図示せず）を画像表示・操作入力部３３に表示させる。また、このとき、図示せぬスピーカから、数値に対応する音声が順次出力される。
【０１０６】
ステップＳ２６において、ＣＰＵ１５１は、ステップＳ２５で画像表示・操作入力部３３により表示された撮影中止表示画面に基づき、ユーザから撮影の中止が指示されたか否かを判定する。ステップＳ２６においてユーザから撮影の中止が指示されたと判定された場合、処理はステップＳ２４に戻り、それ以降の処理が繰り返される。
【０１０７】
ステップＳ２６においてユーザから撮影の中止が指示されなかったと判定された場合は、ＣＰＵ１５１はステップＳ２７で、ステップＳ２４の位置判定処理における判定結果に基づいて、ユーザの位置が「右寄り」であるか否かを判定する。ステップＳ２７においてユーザの位置が「右寄り」であると判定された場合、ＣＰＵ１５１はステップＳ３０で、図１３を用いて説明した「左から照明する」照明方法を実行する。
【０１０８】
例えば、図１４に示されるように、ユーザの体の半分以上が図１の右床１４Ａに位置している場合、ステップＳ２７においてユーザの位置が「右寄り」であると判定され、ＣＰＵ１５１はステップＳ３０で、図１３を用いて説明した「左から照明する」照明方法を実行する。すなわち、図１４に示されるように、照明部６１−２は照明部６１−１の近傍まで移動され、フラッシュ制御部１１５およびフラッシュ制御部１１６が、照明部３２−２、照明部６１−１、および照明部６１−２にフラッシュ光を発生させ、ユーザ２１１を照明させる。このフラッシュ光は、ステップＳ３４における撮影処理の直前から直後にかけて実行される。
【０１０９】
ステップＳ２７においてユーザの位置が「右寄り」ではないと判定された場合、ＣＰＵ１５１はステップＳ２８で、ステップＳ２４の位置判定処理における判定結果に基づいて、ユーザの位置が「左寄り」であるか否かを判定する。
【０１１０】
ステップＳ２８においてユーザの位置が「左寄り」であると判定された場合、ＣＰＵ１５１はステップＳ３１で、図１３を用いて説明した「右から照明する」照明方法を実行する。ユーザの位置が「左寄り」ではないと判定された場合、ＣＰＵ１５１はステップＳ２９で、ステップＳ２４の位置判定処理における判定結果に基づいて、ユーザの位置が「中央」であるか否かを判定する。
【０１１１】
ステップＳ２９においてユーザの位置が「中央」であると判定された場合、ＣＰＵ１５１はステップＳ３２において、図１３を用いて説明した「全部照明する」照明方法を実行する。ステップＳ２９においてユーザの位置が「中央」ではないと判定された場合、ＣＰＵ１５１はステップＳ３３で、図１３を用いて説明した「全部照明する」照明方法を実行する。
【０１１２】
ステップＳ３０乃至Ｓ３３の処理の後、ＣＰＵ１５１は、ステップＳ３４において、カメラ３１を制御し、ステップＳ２７乃至Ｓ３３の処理において変更された撮影条件に従って撮影を行う。
【０１１３】
ステップＳ３５において、ＣＰＵ１５１は、直前の撮影により得られた撮影結果の画像を画像表示・操作入力部３３または表示部４０に表示させ、ユーザに確認させる。ステップＳ３６において、ＣＰＵ１５１は、ユーザからに指示、または撮影枚数に基づいて、撮影を終了しないか否かを判定し、ステップＳ３６において撮影を終了しないと判定された場合、ステップＳ２２に戻り、それ以降の処理を繰り返し実行する。例えば、記憶部１５６には撮影可能回数が所定の数だけ予め設定、記憶されており、残りの撮影可能回数が「０」になったとき撮影が終了される。また、予め設定されている制限時間の残り時間がなくなったとき、強制的に撮影が終了される。
【０１１４】
ステップＳ３６において撮影を終了すると判定された場合、ステップＳ３７に進み、ＣＰＵ１５１は、画像表示・操作入力部３３の表示を制御し、撮影結果の画像を一覧表示し、編集処理において編集を施す画像（編集対象画像）をユーザに選択させる。ステップＳ３８において、ＣＰＵ１５１は、ユーザからの編集する画像の選択を受け付け、ステップＳ３９に進み、画像の選択が終了されたか否かを判定する。ステップＳ３９において画像の選択が終了していないと判定された場合、処理はステップＳ３７に戻り、図示せぬ選択画面の表示が継続される。
【０１１５】
ステップＳ３９において、例えば、４種類の画像が編集対象画像として選択されたため、画像の選択が終了されたと判定された場合、ＣＰＵ１５１は、撮影処理を終了させる。その後、図１０のステップＳ３以降の処理が実行される。
【０１１６】
次に、図１５のフローチャートを参照して、図１０のステップＳ２において実行される第２の撮影処理の詳細について説明する。なお、図１５におけるステップＳ７１乃至Ｓ７５とステップＳ８５乃至Ｓ８９の処理は、図１１のステップＳ２１乃至Ｓ２６とステップＳ３５乃至Ｓ３９の処理と基本的に同様であり、その説明は繰り返しになるので省略する。
【０１１７】
なお、図１１を用いて説明した第１の撮影処理における、ステップＳ２４の処理（位置判定処理）は、図１５の第２の撮影処理では省略されている。その代わり、図１５のフローチャートを参照して説明する第２の撮影処理においては、第１の撮影処理とは異なり、ユーザは、後述するステップＳ７６乃至Ｓ８４の処理において、自分自身の動作により、自分の好みで撮影条件を設定することができる。そのため、第２の撮影処理においても、ユーザがより満足できる写真シールを提供することが可能となる。
【０１１８】
図１６のフローチャートを参照して、図１５のステップＳ７６における動作判定処理について説明する。なお、図１６のステップＳ１０１およびステップＳ１０２における処理は、図１２のステップＳ５１およびステップＳ５２の処理と同様である。すなわち、これらの処理により、画像データがカメラ３１から取り込まれ、ＲＡＭ１５３または記憶部１５６に記憶される。
【０１１９】
ステップＳ１０３において、ＣＰＵ１５１は、ステップＳ１０２でＲＡＭ１５３または記憶部１５６に記憶されたユーザの画像データを読み出し、動作の種類を判定する。すなわち、ＣＰＵ１５１は、撮影空間１５におけるユーザの動作と、撮影空間１５に設けられた照明（すなわち、照明部３２−１および照明部３２−２、照明部３５、照明部３６、並びに照明部６１−１乃至６１−３）の照明方法が対応付けられたデータベース２３１（図１７を参照して後述する）を参照して、ＲＡＭ１５３または記憶部１５６から読み出されたユーザの画像データに基づき、撮影空間１５におけるユーザの動作を判定する。なお、データベース２３１は、記憶部１５６に記憶されている。
【０１２０】
図１７は、記憶部１５６に記憶されたデータベース２３１の例を示している。
【０１２１】
図１７に示されるように、データベース２３１には、撮影空間１５におけるユーザの動作として、例えば、「両手が上げられた」、「右手が上げられた」、および「左手が上げられた」の３つの動作が登録されている。「両手が上げられた」とは、ユーザが、例えば、万歳の要領で両手を上げた状態を意味しており、「右手が上げられた」とは、ユーザが、右手のみを上げた状態を意味しており、「左手が上げられた」とは、ユーザが、左手を上げた状態を意味している。例えば、図１８の例の場合、ユーザ２５１は、両手をあげており、図１５のステップＳ７６の動作判定処理において「両手が上げられた」と判定される。
【０１２２】
また、図１７の例の場合、例えば、「両手が上げられた」、「右手が上げられた」、および「左手が上げられた」の３つの動作に対して、「上から照明する」、「右から照明する」、および「左から照明する」照明方法がそれぞれ対応付けられている。「上から照明する」照明方法とは、ユーザの全体を照明する照明方法であり、フラッシュ制御部１１５が、照明部６１−１乃至６１−３にユーザを照明させ、照明部３２−１および照明部３２−２並びに照明部３５および照明部３６はユーザを照明しない（照明したとしても、その光量は、照明部６１−１乃至６１−３からの光量より少なくされる）。なお、この「上から照明する」照明方法の際に使用される照明部６１−２は、初期撮影条件で設定された状態のまま、すなわち、照明部６１−１と照明部６１−３のちょうど中間に配置される。
【０１２３】
図１７における「右から照明する」照明方法と「左から照明する」照明方法は、図１３を用いて説明した「右から照明する」照明方法と「左から照明する」照明方法と同様であるので、その説明は省略する。
【０１２４】
図１５に戻り、ステップＳ７７において、ＣＰＵ１５１は、ステップＳ７６の動作判定処理における判定結果に基づいて、ユーザの動作が「両手が上げられた」であるか否かを判定する。ステップＳ７７においてユーザの動作が「両手が上げられた」であると判定された場合、ＣＰＵ１５１はステップＳ８０で、図１７を用いて説明した「上から照明する」照明方法を実行する。
【０１２５】
例えば、図１８に示されるように、ユーザが両手を上げたとする。この場合、ステップＳ７７においてユーザの動作が「両手が上げられた」であると判定され、ＣＰＵ１５１はステップＳ８０で、図１７を用いて説明した「上から照明する」照明方法を実行する。
【０１２６】
また、図１８に示されるように、ステップＳ７７においてユーザの動作が「両手が上げられた」であると判定されたとき、ＣＰＵ１５１は、図１９に示されるように、「上からライトを当てるよ！」というメッセージを表示した表示画面２７１を画像表示・操作入力部３３または表示部４０に表示させるとともに、図示せぬスピーカから「上からライトを当てるよ」という音声を出力させてもよい。これにより、ユーザは、自分の動作によりどのように撮影条件が変更されたかを、確実かつ容易に確認することができる。
【０１２７】
ステップＳ７７においてユーザの動作が「両手が上げられた」ではないと判定された場合、ＣＰＵ１５１はステップＳ７８で、ステップＳ７６の動作判定処理における判定結果に基づいて、ユーザの動作が「右手が上げられた」であるか否かを判定する。
【０１２８】
ステップＳ７８においてユーザの動作が「右手が上げられた」であると判定された場合、ＣＰＵ１５１はステップＳ８１で、図１３を用いて説明した「右から照明する」照明方法を実行する。ユーザの動作が「右手が上げられた」ではないと判定された場合、ＣＰＵ１５１はステップＳ７９で、ステップＳ７６の動作判定処理における判定結果に基づいて、ユーザの動作が「左手が上げられた」であるか否かを判定する。
【０１２９】
ステップＳ７９においてユーザの動作が「左手が上げられた」であると判定された場合、ＣＰＵ１５１はステップＳ８２において、図１３を用いて説明した「左から照明する」照明方法を実行する。ステップＳ７９においてユーザの動作が「左手が上げられた」ではないと判定された場合、ＣＰＵ１５１はステップＳ８３で、「全部照明する」照明方法を実行する。なお、ステップＳ８３の処理における「全部照明する」照明方法は、図１３を用いて説明した「全部照明する」照明方法と同様であるので、その説明は省略する。
【０１３０】
ステップＳ８０乃至Ｓ８３の処理によるフラッシュ光が発生されると同時に、または直後に、ＣＰＵ１５１は、ステップＳ８４において、カメラ３１を制御し、ステップＳ７７乃至Ｓ８３の処理において変更された撮影条件に従って撮影を行う。これにより、ユーザは、好みのポーズに最適な照明方法を、自分自身の動作（例えば，予め記憶部１５６に記憶されたデータベース２３１により対応付けられた動作）により主体的に変更することが可能となる。その結果、気に入ったポーズできれいに撮影することができないという状況を解消することが可能となり、ユーザは、より嗜好に合ったきれいな写真シールを撮影することができる。その他の処理は、図１１における場合と同様である。
【０１３１】
なお、図１７のデータベース２３１においては、例えば、「両手が上げられた」、「右手が上げられた」、および「左手が上げられた」の３つの基本動作のみに照明方法が対応付けられているが、多少複雑な動作であっても、予めデータベースにユーザの動作として登録することで照明方法に対応付けることが可能である。また、照明方法だけでなく他の撮影条件（例えば、音響、画像表示など）を対応付けてもよい。そこで、例えば、図２０を用いて、多少複雑な動作を予めデータベースにユーザの動作として登録することで照明方法等に対応付けた例について説明する。
【０１３２】
図２０のフローチャートを参照して、図１０のステップＳ２における第３の撮影処理の詳細について説明する。なお、図２０のステップＳ１２１乃至Ｓ１２５とステップＳ１３１乃至Ｓ１３５の処理は、図１５のステップＳ７１乃至Ｓ７５とステップＳ８５乃至Ｓ８９の処理と同様であるので、その説明は省略する。
【０１３３】
ステップＳ１２６において、ＣＰＵ１５１は、動作判定処理を実行する。図２０のステップＳ１２６における動作判定処理は、図２１に示されている。
【０１３４】
図２１のフローチャートを参照して、図２０のステップＳ１２６における動作判定処理について説明する。図２１のステップＳ１５１およびステップＳ１５２で、図１６のステップＳ１０１およびステップＳ１０２と同様に、画像が取り込まれ、ＲＡＭ１５３または記憶部１５６に記憶される。
【０１３５】
ステップＳ１５３において、ＣＰＵ１５１は、ステップＳ１５２でＲＡＭ１５３または記憶部１５６に記憶されたユーザの画像データを読み出し、動作の種類を判定する。すなわち、ＣＰＵ１５１は、撮影空間１５におけるユーザの動作と、撮影空間１５に設けられた照明（すなわち、照明部３２−１および照明部３２−２、照明部３５、照明部３６、並びに照明部６１−１乃至６１−３）の照明方法が対応付けられたデータベース２９１（図２２を参照して後述する）を参照して、ＲＡＭ１５３または記憶部１５６から読み出されたユーザの画像データに基づき、撮影空間１５におけるユーザの動作を判定する。なお、データベース２９１は、記憶部１５６に記憶されている。
【０１３６】
図２２は、記憶部１５６に記憶されたデータベース２９１の例を示している。
【０１３７】
図２２に示されるように、データベース２９１には、撮影空間１５におけるユーザの動作としての「お化け」の動作と、「正面下から照明する」照明方法とが対応付けられて記憶されている。ここで、「お化け」とは、ユーザが両手を肘先から垂らすことにより形態模写するときのお化けの手のポーズ（いわゆるウラメシヤのポーズ）を意味している。
【０１３８】
「正面下から照明する」照明方法とは、ユーザを下方から照明する照明方法であり、フラッシュ制御部１１５が、照明部３６のみにユーザを照明させ、照明部３２−１および照明部３２−２、照明部３６、並びに照明部６１−１乃至６１−３はユーザを照明しない（照明したとしても、その光量は、照明部３６からの光量より少なくされる）。
【０１３９】
図２０に戻り、ステップＳ１２７において、ＣＰＵ１５１は、ステップＳ１２６の動作判定処理における判定結果に基づいて、ユーザの動作が「お化け」であるか否かを判定する。ステップＳ１２７においてユーザの動作が「お化け」であると判定された場合、ＣＰＵ１５１はステップＳ１２８で、図２２を用いて説明した「正面下から照明する」照明方法を実行する。このときＣＰＵ１５１は、例えば、人魂や１つ目小僧の画像を表示した表示画面２７１を画像表示・操作入力部３３または表示部４０に表示させるとともに、図示せぬスピーカから「うらめしや〜」という音声を出力させてもよい。
【０１４０】
これにより、ユーザは、よりリアルに、お化けのような姿を撮影することが可能となる。
【０１４１】
ステップＳ１２７においてユーザの動作が「お化け」ではないと判定された場合、ＣＰＵ１５１はステップＳ１２９で、「全部照明する」照明方法を実行する。なお、ステップＳ８３の処理における「全部照明する」照明方法は、図１３を用いて説明した「全部照明する」照明方法と同様であるので、その説明は省略する。その他の動作は、図１５における場合と同様である。
【０１４２】
なお、データベース２９１においては、ユーザの動作として、例えば、図２２を用いて説明した「お化け」を登録しているが、例えば、撮影のカウントダウン開始後、大きな身振りや手で「×」の形をするなどにより、撮影のカウントダウンを中止するという動作を、「中止」などのように登録することも可能である。また、図２０のステップＳ１２５の撮影中止の処理において、動作判定処理を実行することにより、ユーザの動作が「中止」であるか否かを判定してもよい。さらに、ステップＳ１２７乃至Ｓ１２９の処理により、ユーザにより撮影条件が変更された後、ユーザの動作が「中止」であるか否かを判定し、ユーザの動作が「中止」であると判定された場合、ステップＳ１２７乃至Ｓ１２９の処理を繰り返してもよい。
【０１４３】
また、ステップＳ１３３において、ＣＰＵ１５１は、画像表示・操作入力部３３の表示を制御し、撮影時のユーザの動作に関連させて、予め制御装置１１１に登録されている、編集対象の画像に付加することが可能なスタンプ画像を表示し、編集処理において編集を施す画像（編集対象画像）をユーザに選択、変更させるようにしてもよい。例えば、ステップＳ１２７においてユーザの動作が「お化け」であると判定された場合、ＣＰＵ１５１は、ユーザが編集処理において人魂のスタンプや１つ目小僧のスタンプなどを付加することができるように、人魂のスタンプ画像や１つ目小僧のスタンプ画像を画像表示・操作入力部３３に表示させ、ユーザに落書きペン３４−１および３４−２により選択させるようにしてもよい。
【０１４４】
これにより、ユーザは、撮影する画像だけでなく編集する画像についても変更することができるようになるので、ユーザがより満足できる写真シールを提供することができる。
【０１４５】
次に、図２３のフローチャートを参照して、図１０のステップＳ３における編集処理の詳細について説明する。
【０１４６】
ステップＳ１７１において、ＣＰＵ１５１は、編集対象の画像として選択された画像データを読み出し、読み出したデータに基づいて編集画面を図示せぬ編集用モニタ（例えば、装置本体１１の面１１Ｃと反対側の面、または面１１Ａの反対側の面に配置されている）に表示させる（勿論、画像表示・操作入力部３３に表示させ、そこで編集させるようにしてもよい）。
【０１４７】
編集画面において選択されたツールに基づく編集がタッチパネル（図示せず）を介して入力されたとき、ＣＰＵ１５１は、ステップＳ１７２において、ユーザからの入力に応じて、編集対象として選択されている画像を編集する。
【０１４８】
ＣＰＵ１５１は、ステップＳ１７３において、ユーザからの指示、または編集用に予め設定された時間に基づいて、編集処理を終了するか否かを判定し、例えば、図示せぬ終了ボタンが操作されていないため、編集処理を終了しないと判定した場合、ステップＳ１７２に戻り、以上の処理を繰り返し実行する。
【０１４９】
一方、図示せぬ終了ボタンが操作された場合、または、予め設定されている制限時間が終了した場合、ＣＰＵ１５１は、ステップＳ１７３において、編集処理を終了すると判定し、ステップＳ１７４に進み、落書きが施された画像を、シール紙１３２に印刷する画像として選択する。
【０１５０】
ステップＳ１７５において、ＣＰＵ１５１は、シール紙１３２に印刷される画像の配置と大きさを選択する分割数（印刷パターン）の選択画面を編集用モニタ（図示せず）に表示させ、ユーザに好みの分割数を選択させる。すなわち、写真シール販売機１には、複数の分割数が予め用意されており、ユーザが好みの印刷パターンを選択できるようになされている。ユーザにより分割数が選択されたとき、編集処理が終了される。
【０１５１】
次に、図２４のフローチャートを参照して、図４と図５を用いて説明した他の装置本体１１の全体の処理について説明する。なお、図２４のステップＳ１９１乃至Ｓ１９４の処理は、図１０のステップＳ１乃至Ｓ４の処理と同様であるので、その説明は省略する。
【０１５２】
図２５のフローチャートを参照して、図２４のステップＳ１９２における撮影処理の詳細について説明する。なお、図２５のステップＳ２０１乃至Ｓ２０５とステップＳ２１５乃至Ｓ２１９の処理は、図１５のステップ７１乃至Ｓ７５とステップＳ８５乃至Ｓ８９の処理と同様であるので、その説明は省略する。
【０１５３】
ステップＳ２０６において、ＣＰＵ１５１は、足位置判定処理を実行する。図２５のステップ２０６における足位置判定処理は、図２６に示されている。
【０１５４】
図２６を参照して、図２５のステップＳ２０６における足位置判定処理について説明する。ステップＳ２３１において、センサ９１は、制御装置１１１から供給されるセンサ制御信号に基づいて動作を開始し、ユーザの位置を検知するとともに、検知信号を生成し、制御装置１１１に供給する。
【０１５５】
ステップＳ２３２において、ＣＰＵ１５１は、撮影空間１５内に設けられた照明（すなわち、照明部３２−１および照明部３２−２、照明部３５、照明部３６、並びに照明部７１−１乃至７１−３）の照明方法が対応付けられたデータベース３１１（図２７を参照して供述する）を参照して、センサ９１から供給された検知信号に基づいて、撮影空間１５におけるユーザの位置を判定する。なお、データベース３１１は、記憶部１５６に記憶されている。
【０１５６】
図２７は、記憶部１５６に記憶されたデータベース３１１の例を示している。
【０１５７】
図２７に示されるように、データベース３１１には、撮影空間１５におけるユーザの足の位置として、「右寄り」、「左寄り」、および「中央」が記憶されている。ここで、「右寄り」とは、ユーザの足が図４の右床１４Ａにより多く位置している場合を意味しており、「左寄り」とは、ユーザの足が図４の左床１４Ｃにより多く位置している場合を意味しており、「中央」とは、ユーザの足が図４の中央床１４Ｂにより多く位置している場合を意味している。
【０１５８】
例えば、図２８の例の場合、ユーザ３３１およびユーザ３３２の足がいずれも右床１４Ａに位置している。従って、ＣＰＵ１５１は、図２５のステップＳ２０６の足位置判定処理において、撮影空間１５におけるユーザの足の位置を「右寄り」と判定する。また、図２７の例の場合、例えば、「右寄り」、「左寄り」、および「中央」の３つの位置に対して、「右下から照明する」、「左下から照明する」、および「中央下から照明する」照明方法がそれぞれ対応付けられている。「右下から照明する」照明方法とは、ユーザを右下から照明する照明方法であり、フラッシュ制御部１１５は、照明部７１−３のみにユーザを照明させ、その他の照明部等、すなわち、照明部３２−１および照明部３２−２、照明部３５、照明部３６、並びに照明部７１−１および７１−２はユーザを照明しない（照明したとしても、その光量は、照明部７１−３からの光量より少なくされる）。
【０１５９】
また、「左下から照明する」照明方法とは、ユーザを左下から照明する照明方法であり、フラッシュ制御部１１５が、照明部７１−１のみにユーザを照明させ、その他の照明部等、すなわち、照明部３２−１および照明部３２−２、照明部３５、照明部３６、並びに照明部７１−２および７１−３はユーザを照明しない（照明したとしても、その光量は、照明部７１−１からの光量より少なくされる）。さらに、「中央下から照明する」照明方法とは、ユーザを中央下から照明する照明方法であり、フラッシュ制御部１１５は、照明部３６と照明部７１−２のみにユーザを照明させ、照明部３２−１および照明部３２−２、照明部３５、並びに照明部７１−１および照明部７１−３はユーザを照明しない（照明したとしても、その光量は、照明部７１−２からの光量より少なくされる）。
【０１６０】
図２９は、図２８の装置本体１１のＺ１−Ｚ１線における写真シール販売機１の断面の構成を表している。
【０１６１】
例えば、図２９に示されるように、ユーザ３３１およびユーザ３３２の足が右床１４Ａにより多く位置している場合、ユーザの足の位置が「右寄り」であると判定され、ＣＰＵ１５１は、図３０に示されるように、「右下から照明する」照明方法を実行する。これにより、複数のユーザが位置する場所を正確に判定することができ、複数のユーザがより満足できる写真シールを提供することができる。なお、ユーザの下から照明することにより、カメラ撮影によく用いられる反射板の役割を果たすことができる。これにより、よりきれいな写真シールを提供することができる。
【０１６２】
図２５に戻り、ステップＳ２０７において、ＣＰＵ１５１は、ステップＳ２０６の足位置判定処理における判定結果に基づいて、ユーザの足の位置が「右寄り」であるか否かを判定する。ステップＳ２０７においてユーザの足の位置が「右寄り」であると判定された場合、ＣＰＵ１５１はステップＳ２１０で、図２７を用いて説明した「右下から照明する」照明方法を実行する。
【０１６３】
ステップＳ２０７においてユーザの足の位置が「右寄り」ではないと判定された場合、ＣＰＵ１５１はステップＳ２０８で、ステップＳ２０６の足位置判定処理における判定結果に基づいて、ユーザの足の位置が「左寄り」であるか否かを判定する。
【０１６４】
ステップＳ２０８においてユーザの足の位置が「左寄り」であると判定された場合、ＣＰＵ１５１はステップＳ２１１で、図２７を用いて説明した「左下から照明する」照明方法を実行する。ユーザの足の位置が「左寄り」ではないと判定された場合、ＣＰＵ１５１はステップＳ２０９で、ステップＳ２０６の足位置判定処理における判定結果に基づいて、ユーザの足の位置が「中央」であるか否かを判定する。
【０１６５】
ステップＳ２０９においてユーザの足の位置が「中央」であると判定された場合、ＣＰＵ１５１はステップＳ２１２において、図２７を用いて説明した「中央下から照明する」照明方法を実行する。ステップＳ２０９においてユーザの足の位置が「中央」ではないと判定された場合、ＣＰＵ１５１はステップＳ２１３で、図１３を用いて説明した「全部照明する」照明方法を実行する。
【０１６６】
ステップＳ２１４において、ＣＰＵ１５１は、カメラ３１を制御し、ステップＳ２０７乃至Ｓ２１３の処理において変更された撮影条件に従って撮影を行う。その後の処理は、上述した場合と同様である。
【０１６７】
なお、図２５を用いて説明した装置本体１１の全体の処理においては、センサ９１によりユーザの足の位置を検知したが、複数のユーザの位置を正確に検知することができさえすれば、ユーザの足の位置でなくともよい。
【０１６８】
また、ユーザの位置を検知するためにセンサを用いたが、図４の右床１４Ａ、中央床１４Ｂ、および左床１４Ｃにセンサを配置してもよい。
【０１６９】
ところで、装置本体１１の管理者は、装置本体１１内に装填しているシール紙１３２がなくなりそうになった場合、新しいシール紙ユニット１１９に交換することにより、シール紙１３２を補充する。シール紙１３２の補充に際し、装置本体１１のＣＰＵ１５１はシール紙ユニット１１９に付されているＩＤタグ１３１を照合することにより、補充されたシール紙が、装置本体１１に適合したものか否かを判別することができる。次に、図３１を参照して、ＣＰＵ１５１によるＩＤタグ１３１のＩＤ検出処理について説明する。
【０１７０】
ステップＳ２５１において、ＣＰＵ１５１は、装置本体１１の所定の位置に、シール紙ユニット１１９が装着されたか否かを監視し、シール紙ユニット１１９が装着された場合、ステップＳ２５２に進む。
【０１７１】
ステップＳ２５２において、ＣＰＵ１５１は、ＩＤタグリーダ／ライタ１１７を制御して、シール紙ユニット１１９に付されているＩＤタグ１３１のＩＤを読み取らせる。
【０１７２】
ステップＳ２５３において、ＣＰＵ１５１は、ステップＳ２５２においてＩＤタグリーダ／ライタ１１７より取得したＩＤと、予めＲＯＭ１５２に記憶しているシール紙ＩＤを照合する。ステップＳ２５３において両ＩＤが同一であると判定された場合、ＣＰＵ１５１はステップＳ２５４で、プリンタ１１８による印刷を可能とする。
【０１７３】
ステップＳ２５３においてＣＰＵ２０１が、ＩＤタグリーダ／ライタ１１７より取得したＩＤと、予めＲＯＭ１５２に記憶しているシール紙ＩＤが一致しないと判定した場合、ＣＰＵ１５１はステップＳ２５５で、プリンタ１１８による印刷を不可能にする。
【０１７４】
なお、本実施の形態においては、シール紙ユニット１１９にＩＤタグ１３１を付すようにしたが、シール紙ユニット１１９に装填されているシール紙１３２の種類を識別することが可能であれば、その他の方法により、シール紙１３２を識別するようにしても構わない。
【０１７５】
例えば、ＩＤタグ１３１の代わりに、バーコード、ＩＣカード等の方法を用いて、シール紙ユニット１１９を識別するようにしてもよい。また、シール紙ユニット１１９の装置本体１１への装着部分の形状を、装置本体１１の機種毎に異なるものにし、適合するシール紙ユニット１１９だけ、装置本体１１に装着可能なようにしても良い。
【０１７６】
また、シール紙１３２とシール紙ユニット１１９を分離可能に構成することも可能であり、また、一体的に構成することも可能である。
【０１７７】
【発明の効果】
以上のように、本発明によれば、ユーザの位置や動作を判定することができる。すなわち、ユーザからの指示情報を判定することができる。また、ユーザからの指示情報に応じて予め設定した初期撮影条件を変更することができる。これにより、ユーザがより満足できる写真シールを提供することができる。
【図面の簡単な説明】
【図１】本発明を適用した写真シール販売機の外観の構成を示す斜視図である。
【図２】図１のＸ１−Ｘ１線における写真シール販売機の断面の構成を示す断面図である。
【図３】図１のＸ２−Ｘ２線における写真シール販売機の断面の構成を示す断面図である。
【図４】本発明を適用した写真シール販売機の他の実施の形態の構成を示す斜視図である。
【図５】図４のＹ−Ｙ線における写真シール販売機の断面図である。
【図６】図１の装置本体の内部構成を示すブロック図である。
【図７】図６の制御装置の詳細な構成を示すブロック図である。
【図８】図４の他の装置本体の内部構成を示すブロック図である。
【図９】図８の制御装置の詳細な構成を示すブロック図である。
【図１０】図１の装置本体の全体の処理を説明するフローチャートである。
【図１１】図１０のステップＳ２における第１の撮影処理の詳細を説明するフローチャートである。
【図１２】図１１のステップＳ２４における位置判定処理を説明するフローチャートである。
【図１３】図１の装置本体の記憶部に記憶される第１のデータベースの例を示す図である
【図１４】図１のＸ３−Ｘ３線における写真シール販売機の断面の構成を示す断面図である。
【図１５】図１０のステップＳ２における第２の撮影処理の詳細を説明するフローチャートである。
【図１６】図１５のステップＳ７６における動作判定処理を説明するフローチャートである。
【図１７】図１の装置本体の記憶部に記憶される第２のデータベースの例を示す図である。
【図１８】図１のＸ３−Ｘ３線における写真シール販売機の断面図である。
【図１９】変更された撮影条件を表示する表示画面の例を示す図である。
【図２０】図１０のステップＳ２における第３の撮影処理の詳細を説明するフローチャートである。
【図２１】図２０のステップＳ１２６における動作判定処理を説明するフローチャートである。
【図２２】図１の装置本体の記憶部に記憶される第３のデータベースの例を示す図である。
【図２３】図１０のステップＳ３における編集処理の詳細を説明するフローチャートである。
【図２４】図１の他の装置本体の全体の処理を説明するフローチャートである。
【図２５】図２４のステップＳ１９２における撮影処理の詳細を説明するフローチャートである。
【図２６】図２５のステップＳ２０６における足位置判定処理を説明するフローチャートである。
【図２７】図１の他の装置本体の記憶部に記憶されたデータベースの例を示している。
【図２８】撮影時における写真シール販売機の他の外観の構成を示す斜視図である。
【図２９】図２８のＺ１−Ｚ１線における写真シール販売機の断面の構成を示す断面図である。
【図３０】図２８のＺ２−Ｚ２線における写真シール販売機の断面の構成を示す断面図である。
【図３１】写真シール販売機のＩＤ検出処理を説明するフローチャートである。
【符号の説明】
１  写真シール販売機
１１  装置本体
３１  カメラ
３２−１  照明部
３２−２  照明部
３３  画像表示・操作入力部
３４−１  落書きペン
３４−２  落書きペン
３５  照明部
３６  照明部
４０  表示部
４１  コイン投入部
４２  シール取出し口
６１−１乃至６１−３  照明部
７１−１乃至７１−３  照明部
９１  センサ
１１１  制御装置
１１２  表示制御部
１１３  操作入力部
１１９  シール紙ユニット
【図１】
2004219735.tif 000003
【図２】
2004219735.tif 000004
【図３】
2004219735.tif 000005
【図４】
2004219735.tif 000006
【図５】
2004219735.tif 000007
【図６】
2004219735.tif 000008
【図７】
2004219735.tif 000009
【図８】
2004219735.tif 000010
【図９】
2004219735.tif 000011
【図１０】
2004219735.tif 000012
【図１１】
2004219735.tif 000013
【図１２】
2004219735.tif 000014
【図１３】
2004219735.tif 000015
【図１４】
2004219735.tif 000016
【図１５】
2004219735.tif 000017
【図１６】
2004219735.tif 000018
【図１７】
2004219735.tif 000019
【図１８】
2004219735.tif 000020
【図１９】
2004219735.tif 000021
【図２０】
2004219735.tif 000022
【図２１】
2004219735.tif 000023
【図２２】
2004219735.tif 000024
【図２３】
2004219735.tif 000025
【図２４】
2004219735.tif 000026
【図２５】
2004219735.tif 000027
【図２６】
2004219735.tif 000028
【図２７】
2004219735.tif 000029
【図２８】
2004219735.tif 000030
【図２９】
2004219735.tif 000031
【図３０】
2004219735.tif 000032
【図３１】
2004219735.tif 000033